(57)【要約】      （修正有）【課題】携帯可能な小型の自然蒸発式加湿器において、加湿用の水がこぼれ出ることが無く簡単に水を供給できるとともに、加湿効率を向上させる。【解決手段】自然蒸発式加湿器において、加湿エレメント５は、伸縮自在な伸縮部５Aと、延長された延長部５Bとを備え、ハウジングは、加湿エレメントの伸縮部の一方が取り付けられる第一部材２と、加湿エレメントの伸縮部の他方が取り付けられる第二部材３と、加湿エレメントと水を貯留する空間が内部に形成される第三部材４とを備え、第一部材は、連結部を介して第二部材の上方に取り付けられ、第三部材は、第二部材の下方に取り付けられ、加湿エレメントの延長部は、第二部材に形成された連通孔を通して、第三部材の内部の空間に設置され、延長部が、第三部材の内部に貯留された水を吸い上げ、伸縮部が、延長部が吸い上げた水を大気中に蒸散するように構成する。【選択図】図３
2011144955.tif 000002
【特許請求の範囲】
【請求項１】
伸縮自在の加湿エレメントと、
前記加湿エレメントを内部に収容するハウジングとを備え、
前記ハウジングを開けることで前記加湿エレメントが伸張し、前記加湿エレメントを介して前記ハウジング内に収容された水を大気中に蒸散させる自然蒸発式加湿器において、
前記加湿エレメントは、
伸縮自在な伸縮部と、
延長された延長部とを備え、
前記ハウジングは、
前記加湿エレメントの前記伸縮部の一方が取り付けられる第一部材と、
前記加湿エレメントの前記伸縮部の他方が取り付けられる第二部材と、
前記加湿エレメントと水を貯留する空間が内部に形成される第三部材とを備え、
前記第一部材は、連結部を介して前記第二部材の上方に取り付けられ、
前記第三部材は、前記第二部材の下方に取り付けられ、
前記加湿エレメントの前記延長部は、前記第二部材に形成された連通孔を通して、前記第三部材の内部の空間に設置され、
前記延長部が、前記第三部材の内部に貯留された水を吸い上げ、
前記伸縮部が、前記延長部が吸い上げた水を大気中に蒸散する
ように構成されていることを特徴とする自然蒸発式加湿器。
【請求項２】
前記ハウジングの前記第一部材が前記第二部材に対して前記連結部を基点として開くことで、前記加湿エレメントが伸張し、
前記第二部材に設けられた前記連通孔は、前記伸縮部が取り付けられる部分より前記連結部側に偏った位置に配置される
ように構成されていることを特徴とする請求項１に記載される自然蒸発式加湿器。
【請求項３】
前記第三部材は、前記第二部材の下面と面接触される平面を備える
ように構成されていることを特徴とする請求項２に記載される自然蒸発式加湿器。
【請求項４】
前記第三部材は、上部に形成され前記平面を含む第一嵌合部を備え、
前記第二部材は、下部に形成された第二嵌合部を備え、
前記第一嵌合部が前記第二嵌合部に嵌合される状態で摺動されることで、前記第三部材の内部に形成される空間が開放され、
前記前記第一嵌合部が前記第二嵌合部に対して摺動する方向は、前記第二部材に設けられた前記連通孔から前記連結部に向かう方向となる
ように構成されていることを特徴とする請求項３に記載される自然蒸発式加湿器。
【請求項５】
伸縮自在の加湿エレメントと水とを内部に収容し、前記加湿エレメントの伸縮部が伸張されることで、前記加湿エレメントを介して水を大気中に蒸散させる自然蒸発式加湿器のハウジングにおいて、
前記ハウジングは、
前記加湿エレメントの前記伸縮部の一方が取り付けられる第一部材と、
前記加湿エレメントの前記伸縮部の他方が取り付けられる第二部材と、
前記加湿エレメントと水を貯留する空間が内部に形成される第三部材とを備え、
前記第一部材は、連結部を介して前記第二部材の上方に取り付けられ、
前記第三部材は、前記第二部材の下方に取り付けられ、
前記第二部材は、前記加湿エレメントの前記伸縮部から延びる延長部が、前記第三部材の内部の空間に達するために形成された連通孔を備え、
前記前記連通孔は、前記伸縮部が取り付けられる部分より前記連結部側に偏った位置に配置され、
前記第三部材は、上部に形成された第一嵌合部を備え、
前記第二部材は、下部に形成された第二嵌合部を備え、
前記第一嵌合部が前記第二嵌合部に嵌合される状態で摺動されることで、前記第三部材の内部に形成される空間が開放される
ように構成されていることを特徴とする自然蒸発式加湿器のハウジング。
【請求項６】
前記第三部材は、前記第二部材の下面と面接触される平面を備え、
前記第一嵌合部は、前記平面を含むように構成され、
前記第一嵌合部が前記第二嵌合部に対して摺動する方向は、前記第二部材に設けられた前記連通孔から前記連結部に向かう方向となる
ように構成されていることを特徴とする請求項５に記載される自然蒸発式加湿器のハウジング。
【発明の詳細な説明】
【技術分野】
【０００１】
本発明は、電源や電池を必要とせずに利用者の周囲を加湿する自然蒸発式加湿器であって、小型で持ち運び易く、利用者の都合に合わせた場所において空気を加湿することができる自然蒸発式加湿器およびそのハウジングに関するものである。
【背景技術】
【０００２】
従来より、屋内の暖房により空気を加湿する加湿器は、屋内全体の湿度を確保するため、大型の設備として利用されている。しかし、そのような設備が整っていない場所や移動先においては、湿度を確保することが難しい。小型の加湿器を持ち運ぶ手段もあるが、どこでも電力を得られるとは限らない。
【０００３】
そこで、携帯に便利な小型の自然蒸発式加湿器が知られている（例えば、特許文献１）。利用者は、加湿用のエレメントをケースの中に収容した状態で携帯する。図１３に示すように、加湿用のエレメント１０４は、ケース１０１の蓋１０２と底部１０３の両内面に両端部１０６、１０７が取り付けられており、ケース１０１の蓋１０２を開くと同時に両端部１０６，１０７が引き離されることで広がった状態になる。利用者は、ケース１０１の蓋１０２を開けるだけで加湿エレメント１０４の加湿面積を確保できるので、簡単に加湿できるようになる。加湿に使われる水は蓋１０２を開けた時に、利用者が供給できる仕組みとなっている。
【先行技術文献】
【特許文献】
【０００４】
【特許文献１】特開２００７−８５５８１
【発明の概要】
【発明が解決しようとする課題】
【０００５】
ところで、上記特許文献１の自然蒸発式加湿器においては、加湿用のエレメント１０４が広がった状態でケースの底部１０７の内部空間１０５に水が供給される。水を供給するために蓋１０２が開かれると、その開蓋と連動して加湿用エレメント１０４も広がり、その加湿エレメント１０４の下部の一部１０４ａを浸すように水が供給される。加湿エレメント１０４の開放と、水の供給とを、ケースの蓋１０２を開けるだけで行うことができるので扱いが簡単である。しかし、加湿エレメント１０４のうち一部１０４ａを除いた部分から水が蒸散されるので、加湿エレメント１０４を効率的に水の蒸散に使用しているとは言い難い。また、このとき、供給された水は加湿エレメント１０４の下部の一部１０４ａが取り付けられたケース１０１の底部１０５全体に貯留しているので、何かの衝撃でケース１０１が不安定になると、水がこぼれ出る恐れがある。とくに、加湿のために加湿エレメント１０４が上方に広がった状態では、その横方向に倒れやすいので水がこぼれ出やすい。水を給水するために蓋１０２を開いて加湿エレメント１０４を上方に広げているときは、同様の状態となっているので、水がこぼれ出やすい。
【０００６】
本発明は上記実情に鑑みてなされたものであり、その目的は、携帯可能な小型の自然蒸発式加湿器において、加湿用の水がこぼれ出ることが無く簡単に水を供給できるとともに、加湿効率を向上させる自然蒸発式加湿器とそのハウジングを提供することにある。
【課題を解決するための手段】
【０００７】
本発明の自然蒸発式加湿器は、伸縮自在の加湿エレメントと、前記加湿エレメントを内部に収容するハウジングとを備え、前記ハウジングを開けることで前記加湿エレメントが伸張し、前記加湿エレメントを介して前記ハウジング内に収容された水を大気中に蒸散させる自然蒸発式加湿器において、前記加湿エレメントは、伸縮自在な伸縮部と、延長された延長部とを備え、前記ハウジングは、前記加湿エレメントの前記伸縮部の一方が取り付けられる第一部材と、前記加湿エレメントの前記伸縮部の他方が取り付けられる第二部材と、前記加湿エレメントと水を貯留する空間が内部に形成される第三部材とを備え、前記第一部材は、連結部を介して前記第二部材の上方に取り付けられ、前記第三部材は、前記第二部材の下方に取り付けられ、前記加湿エレメントの前記延長部は、前記第二部材に形成された連通孔を通して、前記第三部材の内部の空間に設置され、前記延長部が、前記第三部材の内部に貯留された水を吸い上げ、前記伸縮部が、前記延長部が吸い上げた水を大気中に蒸散するように構成されていることを特徴とする。
【０００８】
そして、本発明の自然蒸発式加湿器は、前記ハウジングの前記第一部材が前記第二部材に対して前記連結部を基点として開くことで、前記加湿エレメントが伸張し、前記第二部材に設けられた前記連通孔は、前記伸縮部が取り付けられる部分より前記連結部側に偏った位置に配置されるように構成されていることを特徴とする。
【０００９】
そして、本発明の自然蒸発式加湿器は、前記第三部材が、前記第二部材の下面と面接触される平面を備えるように構成されていることを特徴とする。
【００１０】
さらに、本発明の自然蒸発式加湿器は、前記第三部材が、上部に形成され前記平面を含む第一嵌合部を備え、前記第二部材は、下部に形成された第二嵌合部を備え、前記第一嵌合部が前記第二嵌合部に嵌合される状態で摺動されることで、前記第三部材の内部に形成される空間が開放され、前記前記第一嵌合部が前記第二嵌合部に対して摺動する方向は、前記第二部材に設けられた前記連通孔から前記連結部に向かう方向となるように構成されていることを特徴とする。
【００１１】
本発明の自然蒸発式加湿器のハウジングは、前記加湿エレメントの前記伸縮部の一方が取り付けられる第一部材と、前記加湿エレメントの前記伸縮部の他方が取り付けられる第二部材と、前記加湿エレメントと水を貯留する空間が内部に形成される第三部材とを備え、前記第一部材は、連結部を介して前記第二部材の上方に取り付けられ、前記第三部材は、前記第二部材の下方に取り付けられ、前記第二部材は、前記加湿エレメントの前記伸縮部から延びる延長部が、前記第三部材の内部の空間に達するために形成された連通孔を備え、前記前記連通孔は、前記伸縮部が取り付けられる部分より前記連結部側に偏った位置に配置され、前記第三部材は、上部に形成された第一嵌合部を備え、前記第二部材は、下部に形成された第二嵌合部を備え、前記第一嵌合部が前記第二嵌合部に嵌合される状態で摺動されることで、前記第三部材の内部に形成される空間が開放されるように構成されていることを特徴とする。
【００１２】
そして、本発明の自然蒸発式加湿器のハウジングは、前記第三部材が、前記第二部材の下面と面接触される平面を備え、前記第一嵌合部は、前記平面を含むように構成され、前記第一嵌合部が前記第二嵌合部に対して摺動する方向は、前記第二部材に設けられた前記連通孔から前記連結部に向かう方向となるように構成されていることを特徴とする。
【発明の効果】
【００１３】
本発明の自然蒸発式加湿器によれば、第二部材の加湿エレメントの伸縮部の一部が水に浸ることがなく、加湿エレメントの伸縮部の全てが蒸散に使われることになるので、伸縮部が部分的に水中に浸っている場合に比べ、蒸散効率が上昇する。同時に、加湿用の水が貯められている第三部材の内部の空間と加湿エレメントが設置されている空間とが、第二部材により仕切られているので、水がこぼれる事態を回避することができる。
そして、ハウジングの第一部材が開いて水が蒸散されているときに、ハウジングが大きく傾くほどの強い衝撃が働いても、第一部材の開きにより第一部材の内面に取り付けられた伸縮部の一方が引っ張られて広がった伸縮部が連通孔を覆っているので、連通孔からも水が漏れず、加湿器から水がこぼれる心配がない。また、第二部材と第三部材とが面同士で密着しているので、ハウジングを利用者が移動するようなときでも、水が第二部材と第三部材との間から漏れ出ることもない。
さらに、水を蒸散しながら、即ち、ハウジングの第一部材が開かれた状態で給水しなければならない場合でも、こぼさずに水を供給することができる。水を供給するためにハウジングの第三部材の内部空間が開放される位置が、連結部側に張り出している第一部材と同じ側となるので、第一部材の重みが第三部材により支えられハウジング全体が安定した状態になり、水がこぼれ出ることがない。第二部材と第三部材とが第二嵌合部と第一嵌合部とにより密閉されているので、水を供給するとき以外は、この嵌合部から水が漏れることはない。
このように、加湿時、給水時にかかわらず加湿のための水がこぼれることが無く、同時に、加湿効率を向上することができる携帯用の小型な自然蒸発式加湿器を提供することができる。
【図面の簡単な説明】
【００１４】
【図１】本発明の実施の形態による自然蒸発式加湿器の携帯時の状態を示す外観図。
【図２】本発明の実施の形態による自然蒸発式加湿器が給水される状態を示す構成図。
【図３】本発明の実施の形態による自然蒸発式加湿器が水を蒸散するときの状態を示す構成図。
【図４】本発明の実施の形態による自然蒸発式加湿器の加湿エレメントの構成図。。
【図５】本発明の実施の形態による自然蒸発式加湿器の加湿エレメントがハウジングに設置される状態を示す構成図。
【図６】本発明の実施の形態による自然蒸発式加湿器の加湿エレメントが第一部材に取り付けられる部分を示す構成図。
【図７】本発明の実施の形態による自然蒸発式加湿器の加湿エレメントが第二部材に取り付けられる部分を示す構成図。
【図８】本発明の実施の形態による自然蒸発式加湿器が給水される他の状態を示す構成図。
【図９】本発明の実施の形態による自然蒸発式加湿器の第二部材と第三部材とが密閉されているときの部分構成図。
【図１０】本発明の実施の形態による自然蒸発式加湿器の第三部材の構成図。
【図１１】本発明の実施の形態による自然蒸発式加湿器の図１０における矢印Ｄから見た第三部材の断面図。
【図１２】本発明の実施の形態による自然蒸発式加湿器の図１０における矢印Ｅから見た第三部材の断面図。
【図１３】従来の自然蒸発式加湿器を示す構成図。
【発明を実施するための形態】
【００１５】
まず、図１乃至図７に基づいて本発明の実施形態による自然蒸発式加湿器の全体構成と基本的な動作形態について説明する。
本発明の実施の形態に係る自然蒸発式加湿器は、利用者が持ち運ぶときは図１のような形態となる。図１において、ハウジング１は第一部材２、第二部材３、第三部材４から構成され、第一部材２と第三部材３とは連結部６により連結され、連結部６を支点として開閉できるように構成されている。加湿エレメントは、第一部材２と第二部材３とで挟まれた空間に多少圧縮されて状態で配置されており、覗き穴１９からその色彩や様子などを確認することができる。
【００１６】
利用者が周囲の空気を加湿しようとするときは、まず、図２のような形態にして水を供給する必要がある。図２において、第三部材４は、上部に形成される第一嵌合部１３が、第二部材３の下部に形成される第二嵌合部１４に対して嵌合しながらスライドされることで、その内部空間８を開放する。第二部材３の第二嵌合部１４は内部空間８の内側に向けて凹状に形成されており、第三部材４の第一嵌合部１３は内部空間８から外側に向けて凸状に形成されている。利用者は、水をその内部空間８に供給することができる。その後、第一嵌合部１３を第二嵌合部１４に対して、前記と反対の方向にスライドし、第一嵌合部１３の一辺に設けられた終端部１５が、第二嵌合部１４の端部に突き当たることで、内部空間８が密閉される。
【００１７】
次に、利用者は図３のような形態にして空気中に水を蒸散させ周囲を加湿することができる。図３において、ハウジング１の第一部材２は、第一部材２の留め部１８と第二部材３の留め部１７との結合が解除されることで、上方に開かれる。加湿エレメント５は、伸縮部５Ａの一端の係止孔１２が第一部材２の係止部１１に取り付けられ、他端の係止孔１０が第二部材３の係止部９に取り付けられている。第一部材２と第二部材３とに両端が取り付けられた加湿エレメント５の伸縮部５Ａは、ハウジング１の第一部材２が開かれると、その両端が反対方向へ引っ張られることで見方によっては例えば扇状に広げられ、空気との接触面積を十分確保された状態となる。すると、加湿エレメント５が内部にもつ毛細管により吸い上げられた水が、伸縮部５Ａの表面から空気中に蒸散される。
【００１８】
ここで、加湿エレメント５は、図４および図５のようにしてハウジング１に備え付けられている。図４および図５において、加湿エレメント４は、自由に伸縮できる伸縮部５Ａと伸縮はしないが折り曲げ自由な延長部５Ｂから構成されている。延長部５Ｂは、ハウジング１の第二部材３に設けられた連通孔７に差し込まれ、第三部材４の内部空間８に達している。連通孔７は、加湿エレメント５がハウジング１に取り付けられた状態で、加湿エレメント５の延長部５Ｂと伸縮部５Ａとのおよそ境目に位置しており、延長部５Ｂのみが通過されるような孔形状となっている。第三部材４の内部空間８に貯留されている水は、そこに達した延長部５Ｂから吸い上げられ、連通孔７の箇所を通過して上方の伸縮部５Ａに至り、空気中に蒸散される。
【００１９】
また、加湿エレメント５は第一部材２および第二部材３に対して図６および図７のように取り付けられる。図６および図７において、加湿エレメント５の伸縮部５Ａの一端に設けられた係止孔１２は、ハウジング１の第一部材２の内面に設けられた係止部１１に取り付けられる。他端に設けられた係止孔１０は、ハウジング１の第二部材３の内面に設けられた係止部９に取り付けられる。上方に開けられる第一部材２に取り付けられた係止孔１２は、第一部材２が開けられる方向に沿って縦長に形成される縦長部１２ａを備える。第一部材２の内面に形成された係止部１１の係止孔１２に対する相対移動が可能となることで、第一部材２の伸縮部５Ａに対する相対移動が可能になる。
【００２０】
次に、図１乃至図１２に基づいて本発明の実施形態による自然蒸発式加湿器の細部の機能について説明する。
【００２１】
第二部材３の加湿エレメント５の伸縮部５Ａが取付けられる係止孔１０を含む部分が水に浸っておらず、加湿エレメント５の伸縮部５Ａの全てが蒸散に使われる。よって、伸縮部５Ａが部分的に水中に浸っている場合に比べ、蒸散効率が向上する。同時に、加湿用の水が貯められている第三部材４の内部の空間８が、第二部材３により塞がれているので、水がこぼれる事態を回避することができる。
【００２２】
この第二部材３は、加湿時、即ち、ハウジング１の第一部材２が開いているとき、加湿用の水が貯留されている第三部材４の内部空間８を、外部と遮断している。よって、加湿用の水にゴミ、塵等の汚れ成分が混入することがない。したがって、そのような汚れ成分を加湿エレメント５が吸入することを回避することができ、加湿エレメント５の加湿効率、蒸散効率が長持ちする。
【００２３】
さらに第二部材３は、ハウジング１の第三部材４の内部空間８に水が残っている状態で第一部材２を開く場合でも、内部空間８を外部と遮断しているので、第一部材２を開く衝撃によって水がハウジング１の外部にこぼれることがない。内部空間８に水が残った状態で、加湿を中断し、しばらくしてから加湿を再開する場合に有効に作用する。
【００２４】
なお、図８乃至図１２に示すように、第二部材３の第二嵌合部１４は内部空間８の内側に向けて凹状に形成されており、第三部材４の第一嵌合部１３は内部空間８から外側に向けて凸状に形成されている。第一嵌合部１３の一辺には終端部１５が設けられ、第二嵌合部１４の端部は終端部１５と突き当たるように構成されている。第三部材４における終端部１５の反対側に設けられた当接部２１も、下方に張り出した第二部材３の一部である被当接部２０と突き当たり係合するように構成されている。これらの凹状の第二嵌合部１４と凸状の第一嵌合部１３とが嵌合され、凹状の第二嵌合部１４の端部が第一嵌合部１３の終端部１５により密封されると同時に、終端部１５の反対側に設けられた当接部２１が第二部材３の被当接部２０と係合されることで、第二部材３と第三部材４とで囲まれた内部空間８に貯留される水が、ハウジング１の外部に漏れ出ることがない。
【００２５】
これら第三部材４の第一嵌合部１３の上面、当接部２１の上面、および、終端部１５側に設けられ第三部材４の内部空間８側に突き出た突出部２２の上面とは、第二部材３の下面と面するような平面３０を構成している。この面と面とが接触している構成により、第二部材３と第三部材４とで囲まれた内部空間８に貯留される水が、ハウジング１の外部に漏れ出ることを有効に防止することができる。すなわち、図１１で示すように、内部空間８からハウジングの外に漏れようとする矢印Ｌａで表される水は、第二部材３と密着する第三部材４の第一嵌合部１３の上面の平面３０で、その流れが阻害される。そして、第一嵌合部１３の凸状の部分と第二嵌合部１４の凹状の部分とが嵌め合わされているため、矢印Ｌｂで表される水漏れを更に防止することができる。つまり、第一嵌合部１３の上面の平面３０が第二部材３の下面と面接触していることで、矢印Ｌａで表される内部空間８からの水漏れと、矢印Ｌｂで表され矢印Ｌａで表される水漏れが十分に防止されない場合の水漏れとを防止することができる。同様に、図１２で示すように、内部空間８からハウジングの外に漏れようとする矢印Ｌａで表される水は、第二部材３と密着する第三部材４の突出部２２の上面の平面３０で、その流れが阻害される。そして、終端部１５と第二嵌合部１４の端部とが嵌め合わされているため、矢印Ｌｂで表される水漏れを更に防止することができる。つまり、第三部材４の突出部２２の上面の平面３０が第二部材３の下面と面接触していることで、矢印Ｌａで表される内部空間８からの水漏れと、矢印Ｌｂで表され矢印Ｌａで表される水漏れが十分に防止されない場合の水漏れとを防止することができる。同様に、内部空間８からハウジングの外に漏れようとする矢印Ｌａで表される水は、第二部材３と密着する第三部材４の当接部２１の上面の平面３０で、その流れが阻害される。そして、当接部２０と被当接部２１とが嵌め合わされているため、矢印Ｌｂで表される水漏れを更に防止することができる。つまり、第三部材４の当接部２１の上面の平面３０が第二部材３の下面と面接触していることで、矢印Ｌａで表される内部空間８からの水漏れと、矢印Ｌｂで表され矢印Ｌａで表される水漏れが十分に防止されない場合の水漏れとを防止することができる。
なお、第三部材４が第二部材３に対して摺動する場合は、少なくとも第三部材４の第一嵌合部１３の上面が第二部材３の下面と接触しながらスライドすることができる。このように、第一嵌合部１３が、その上面を平面３０としていることにより、内部空間８から水が漏れないようにシール性を保つ点と、第三部材４の第二部材３に対する摺動性を保つ点との両方の点を同時に満たすことになる。
【００２６】
また、図３で示すようなハウジング１の第一部材２が開いて水が蒸散されているときに、ハウジング１が大きく傾くほどの強い衝撃が働いても、ハウジング１の外へ水がこぼれ出ることがない。第一部材２の内面に係止孔１２により取り付けられた伸縮部５Ａが、第一部材２が開かれることで引っ張られ、見方によっては例えば扇状に広がる。その結果、連通孔７が、広がった伸縮部５Ａにより塞がれた状態になる。したがって、連通孔７からも水が漏れず、ハウジング１の外へ水がこぼれることがない。
【００２７】
そして、水を蒸散しながら、即ち、ハウジング１の第一部材２が開かれた状態で給水する場合でも、こぼさずに水を供給することができる。図８に示すように、水を供給するためにハウジング１の第三部材４の内部空間８が開放される位置は、連結部６側に張り出している第一部材２と同じ側となる。よって、第一部材２の重みが第三部材４により支えられる状態になることで、ハウジング１全体のバランスが崩れることがなく、安定して水を供給することができる。
【００２８】
さらに、図８に示すように、ハウジング１の第一部材２と第二部材３とが開閉される側、即ち、第一部材２の留め部１７と係合する第二部材３の留め部１８が設置されている側と、第三部材４と第二部材３とが開閉される側、即ち、第一嵌合部１３の一辺に設けられた終端部１５と突き当たる第二嵌合部１４の端部が設けられている側とが、ハウジング１の一側と他側とに対向するように設けられている。したがって、加湿エレメント５の伸縮部５Ａが広がって水を蒸散しているときに、第三部材４を引き出して内部空間８に給水しても、加湿エレメント５が給水行為を妨害することがない。
【００２９】
また、ハウジング１の第一部材２と第二部材３とで囲まれた空間は、水を保持する必要がないので密閉する必要がない。よって、例えば、第一部材２に空気を通すような孔を設けることで、ハウジング１の第一部材２を閉じて携帯しているときでも、加湿エレメント５を乾燥させることができる。この場合には、加湿エレメント５を清潔に保つことができ、加湿効率、蒸散効率が長持ちする。
その他、例えば第一部材２に覗き穴１９を設けて、加湿エレメント５の色彩や形態などを概観に利用することもできる。
【００３０】
そして、ハウジング１の第一部材２と第二部材３とで囲まれた空間は、水を貯留させる必要がないので加湿用の水量を確保するほどの容積を必要としない。すなわち、第一部材２が閉じられているとき、加湿エレメント５の伸縮部５Ａが圧縮されるほどに、その容積を小さくすることができる。したがって、留め部１７、１８を解除して第一部材２を開けるとき、圧縮された加湿エレメント５の伸縮部５Ａが元に戻ろうとする力を助勢力として利用することができ、第一部材２を容易に開けることができる。
【００３１】
図２に示すように、加湿エレメント５の伸縮部５Ａは、幾重にも折り曲げられていることで、その表面積が確保されている。特に、内方折り曲げ部１６を伸縮部５Ａの伸縮方向にほぼ垂直な方向に設けることで、伸縮性をさらに向上させ、表面積をさらに有効に広げることができる。
【産業上の利用可能性】
【００３２】
電源や電池を必要とせずに利用者の周囲を加湿する自然蒸発式加湿器であって、小型で持ち運び易く、利用者の都合に合わせた場所において空気を加湿することができる、携帯用の自然蒸発式加湿器およびそのハウジングに特に有効に適用される。
【符号の説明】
【００３３】
１  ハウジング
２  第一部材
３  第二部材
４  第三部材
５  加湿エレメント
５Ａ  伸縮部
５Ｂ  延長部
６  連結部
７  連通孔
８  内部空間
９、１１  係止部
１０、１２  係止孔
１３  第一嵌合部
１４  第二嵌合部
１５  終端部
１６  内方折り曲げ部
１７、１８  留め部
１９  覗き孔
２０  被当接部
２１  当接部
２２  突出部
３０  平面
【図１】
2011144955.tif 000003
【図２】
2011144955.tif 000004
【図３】
2011144955.tif 000005
【図４】
2011144955.tif 000006
【図５】
2011144955.tif 000007
【図６】
2011144955.tif 000008
【図７】
2011144955.tif 000009
【図８】
2011144955.tif 000010
【図９】
2011144955.tif 000011
【図１０】
2011144955.tif 000012
【図１１】
2011144955.tif 000013
【図１２】
2011144955.tif 000014
【図１３】
2011144955.tif 000015